(57)【要約】【課題】表示部をチルトさせやすく、且つ、表示部のディスプレイをほぼ水平にすることができる情報処理装置を提供する。【解決手段】情報処理装置は、情報処理部を内蔵するとともに、設置面に設置するための脚部と、この脚部に対してチルト可能に接続されており、脚部方向に閉じることができる表示部とを有する。表示部は、脚部に閉じると設置面と平行になり、脚部には、キーボードを収容可能な空間が形成されている。表示部の下端部が、脚部の先端近傍を挟み込むように、表示部と脚部とが接続されている。【選択図】図１
2009086777.tif 000002
【特許請求の範囲】
【請求項１】
情報処理部を内蔵するとともに、設置面に設置するための脚部と、前記脚部に対してチルト可能に接続されており、前記脚部方向に閉じることができる表示部とを有し、
前記表示部は、前記脚部に閉じると前記設置面と平行になり、前記脚部には、キーボードを収容可能な空間が形成されていることを特徴とする情報処理装置。
【請求項２】
前記脚部内において、前記空間よりも上部にディスクドライブが配されていることを特徴とする請求項１記載の情報処理装置。
【請求項３】
前記ディスクドライブは、前記設置面と平行に配されていることを特徴とする請求項２記載の情報処理装置。
【請求項４】
前記表示部の下端部が、前記脚部の先端近傍を挟み込むように、前記表示部と前記脚部とが接続されていることを特徴とする請求項１ないし３のいずれか一に記載の情報処理装置。
【請求項５】
前記表示部は、接続部材を介して前記脚部に接続されていることを特徴とする請求項１ないし４のいずれか一に記載の情報処理装置。
【発明の詳細な説明】
【技術分野】
【０００１】
本発明は、情報処理本体部と表示部とが一体となっているパーソナルコンピュータに代表される情報処理装置に関する。
【背景技術】
【０００２】
情報処理本体部と表示部とが一体となっているパーソナルコンピュータ、所謂、一体型パーソナルコンピュータ、が市場で販売されるようになってから久しく、近年は、このような一体型パーソナルコンピュータが、よりシェアを伸ばしてきている。
【０００３】
なお、以下に説明される本発明の関連するこのような一体型パーソナルコンピュータが、特許文献１及び特許文献２に開示されている。まず、特許文献１に開示されている一体型パーソナルコンピュータは、表示部の背面に情報処理本体部が表示部と一体となって設けられており、キーボードが、回動機構により表示部に閉じるように設けられている。また、特許文献２に開示されている一体型パーソナルコンピュータは、脚部としての機能を持つ情報処理本体部に、表示部がチルト可能に取り付けられている。
【０００４】
【特許文献１】国際公開第２００４／０９９９５７号パンフレット
【特許文献２】特開２０００−３５７０２７号公報
【発明の開示】
【発明が解決しようとする課題】
【０００５】
まず、特許文献１に開示されている一体型パーソナルコンピュータでは、表示部が情報処理本体部と一体に形成されているので、ユーザが、表示部をチルトさせようとすると、ユーザは、一体となった表示部と情報処理本体部とをチルトさせる必要があり、その重さが煩わしいというデメリットがある。
【０００６】
一方、特許文献２に開示されている一体型パーソナルコンピュータでは、表示部と情報処理本体部とは一体に形成されていないため、ユーザが、表示部をチルトさせる場合には、情報処理本体部の重さは全く気にする必要はなく、つまり、上述した特許文献１に開示されている一体型パーソナルコンピュータが有しているデメリットはない。
【０００７】
しかしながら、特許文献２に開示されている一体型パーソナルコンピュータでは、特許文献２には開示はされていないものの、キーボードを一体型パーソナルコンピュータの設置面と平行な脚部にユーザが載せることができる。しかしながら、設置面と平行な脚部には、ディスクドライブが内蔵されており、その分、脚部の高さが増してしまうため、ユーザはキーボードを載せにくかったり、また、ディスクドライブが設置面近傍にあるため、ディスクドライブをユーザが操作しにくかったり、ディスクドライブに埃が入りやすかったりする不具合がある。
【０００８】
ところで、接客時などの対面時に、相手に対し、表示部のディスプレイを見せる場合があり、この場合、ディスプレイが水平になると、双方にとって見やすい状態となることが知られている。
【０００９】
ここで、特許文献１に開示されている一体型パーソナルコンピュータでは、その構造上、ディスプレイを水平にすることはできない。一方、特許文献１に開示されている一体型パーソナルコンピュータでは、この点に関し、明確に開示はされていない。
【００１０】
そこで、本発明は、表示部をチルトさせやすく、且つ、表示部のディスプレイをほぼ水平にすることができる情報処理装置を提供することを目的とする。
【課題を解決するための手段】
【００１１】
本発明の情報処理装置は、情報処理部を内蔵するとともに、設置面に設置するための脚部と、前記脚部に対してチルト可能に接続されており、前記脚部方向に閉じることができる表示部とを有し、前記表示部は、前記脚部に閉じると前記設置面と平行になり、前記脚部には、キーボードを収容可能な空間が形成されていることを特徴とする。
【発明の効果】
【００１２】
本発明によれば、表示部をチルトさせやすく、且つ、表示部のディスプレイをほぼ水平にすることができる情報処理装置を提供することができる。
【発明を実施するための最良の形態】
【００１３】
以下、図面を参照して本発明を実施するための最良の形態について説明する。図１は、本実施の形態の一体型パーソナルコンピュータの側面図である。なお、図１左図が、表示部が直立している状態であり、右図が、表示部がチルトして設置面に水平になっている状態である。また、図２は、正面図（表示部が直立）であり、図３は、背面図（表示部が直立）であり、図４は上面図（表示部が直立）である。
【００１４】
図１ないし図４を参照すると、一体型パーソナルコンピュータは、表示部１０と脚部２０とを有する。
【００１５】
また、脚部２０は、可動せず、設置面に設置するためのものであり、脚部２０には、表示部１０がチルト可能に接続されている。なお、表示部２０が情報処理装置１０に接続するために、接続部材を別途用いてもよい。また、本実施の形態では、表示部をチルトさせるためにヒンジを採用している。
【００１６】
さらに、脚部２０には、図１に示すように、キーボードを収容可能な空間が設けられており、パーソナルコンピュータとしての主要部、例えば、図示せぬ、ＣＰＵやメモリ等の記憶装置が内蔵されている。
【００１７】
ここで、特に、光ディスクドライブ３０については、脚部２０において、キーボードを収容可能な空間より上部に設けられている。つまり、光ディスクドライブ３０は、ユーザが操作しやすい高さにあるとともに、光ディスクドライブ３０に埃が入りにくい高さに位置している。なお、本実施の形態では光ディスクドライブ３０は設置面に対して水平に配されており、ユーザが手前から光ディスクドライブ３０にアクセスしやすいように配されている。また、脚部２０における、キーボードを収容可能な空間より上部には、その他、ユーザがパーソナルコンピュータを操作するためのボタン（図示せず）が配されてもよい。
【００１８】
なお、一般に、ディスクドライブの設計及び生産にかかるコストは、ディスクドライブが垂直状態又は水平状態で使用されることを前提に設計した場合の方が、ディスクドライブが傾斜した場合を考慮した設計よりも有利である。その理由の一例は、ディスクドライブが傾斜してしまうと、ディスクの偏心を考慮した設計をする必要があるからである。
【００１９】
つまり、ディスクドライブは、水平状態または垂直状態で一体型パーソナルコンピュータに保持された方が、傾斜された状態で保持されるよりも好適である。
【００２０】
次に、表示部１０は、例えばＬＣＤ等の薄型のパネル型ディスプレイを有し、脚部２０にチルト可能に接続されている。また、表示部１０は、図１左図に示すように設置面に対して水平な位置までチルトさせることができる。なお、表示部１０を水平な位置までチルトさせたときに、画面の上下を反転させてもよい。
【００２１】
ここで、表示部１０は、脚部２０とその先端付近で接続されており、表示部１０を水平位置までチルトさせると、コンパクトになり、収納時、運搬時や梱包時に好適である。なお、本実施の形態では、表示部１０の下端が脚部２０を挟み込むように構成されている。
【００２２】
このように、本実施の形態によれば、ユーザは表示部１０をチルトさせたい場合には、表示部１０のみをチルトさせればよく、さらに、表示部のディスプレイを水平にすることができる。
【図面の簡単な説明】
【００２３】
【図１】本発明の実施の形態の一体型パーソナルコンピュータの側面図である。
【図２】本発明の実施の形態の一体型パーソナルコンピュータの正面図である。
【図３】本発明の実施の形態の一体型パーソナルコンピュータの背面図である。
【図４】本発明の実施の形態の一体型パーソナルコンピュータの上面図である。
【符号の説明】
【００２４】
１０  表示部
２０  脚部
３０  光ディスクドライブ
【図１】
2009086777.tif 000003
【図２】
2009086777.tif 000004
【図３】
2009086777.tif 000005
【図４】
2009086777.tif 000006